(57)【要約】【課題】通話時間に依存することなく音声出力競合時における動作停止後の再開動作を迅速に行う。【解決手段】放送番組を受信する放送受信部１３と、放送受信部で受信された放送番組の報知処理を行う放送制御部１０１と、放送制御部に接続され、当該放送制御部から出力される音声信号に基づき音声出力を制御する音声出力制御部１０２と、音声出力制御部に接続され、放送制御部とは異なる音声出力を伴うアプリケーションプログラムを実行するアプリケーション実行部１０３とを備え、音声出力制御部は、放送制御部での放送番組の報知処理に伴う音声出力とアプリケーション実行部でのアプリケーションプログラム実行に伴う音声出力とが競合する場合に放送番組の音声出力を抑制しアプリケーション実行部で実行されるアプリケーションプログラムの動作が終了すると放送番組の音声出力の抑制を解除する。【選択図】図１
2008211677.tif 000002
【特許請求の範囲】
【請求項１】
放送番組を受信する放送受信部と、
前記放送受信部で受信された放送番組の報知処理を行う放送制御部と、
前記放送制御部に接続され、当該放送制御部から出力される音声信号に基づき音声出力を制御する音声出力制御部と、
前記音声出力制御部に接続され、前記放送制御部とは異なる音声出力を伴うアプリケーションプログラムを実行するアプリケーション実行部と、
を備え、
前記音声出力制御部は、
前記放送制御部での前記放送番組の報知処理に伴う音声出力と、前記アプリケーション実行部での前記アプリケーションプログラム実行に伴う音声出力とが競合する場合に、前記放送番組の報知処理に伴う音声出力を抑制し、前記アプリケーション実行部で実行される前記アプリケーションプログラムの動作が終了すると前記放送番組の報知処理に伴う音声出力の抑制を解除する
ことを特徴とする放送受信装置。
【請求項２】
前記音声出力制御部は、
前記アプリケーション実行部により実行されるアプリケーションプログラムからの音声出力要求を受信すると、前記放送番組の報知処理に伴う音声出力を抑制する
ことを特徴とする請求項１に記載の放送受信装置。
【請求項３】
前記放送受信部は、
前記音声出力制御部による前記放送番組の音声出力抑制の経過時間が所定時間を超えた場合に動作が停止される
ことを特徴とする請求項１または２に記載の放送受信装置。
【請求項４】
前記放送受信部は、
前記アプリケーション実行部で実行されるアプリケーションプログラムが、前記放送制御部の実行時に競合するデバイスを用いる場合に、動作が停止される
ことを特徴とする請求項１から３のいずれか１項に記載の放送受信装置。
【請求項５】
放送番組を受信する放送受信部と、前記放送受信部で受信された放送番組の報知処理を行う放送制御部と、前記放送制御部に接続され、当該放送制御部から出力される音声信号に基づき音声出力を制御する音声出力制御部と、前記音声出力制御部に接続され、前記放送制御部とは異なる音声出力を伴うアプリケーションプログラムを実行するアプリケーション実行部と、を備えた放送受信装置における音声出力制御方法であって、
前記放送制御部での前記放送番組の報知処理に伴う音声出力と、前記アプリケーション実行部での前記アプリケーションプログラム実行に伴う音声出力とが競合する場合に、前記放送番組の報知処理に伴う音声出力を抑制するステップと、
前記アプリケーション実行部で実行される前記アプリケーションプログラムの動作が終了すると前記放送番組の報知処理に伴う音声出力の抑制を解除するステップと、
を有することを特徴とする放送受信装置における音声出力制御方法。
【発明の詳細な説明】
【技術分野】
【０００１】
本発明は、放送受信装置および同装置における音声出力制御方法に関する。
【背景技術】
【０００２】
半導体技術の進歩により、携帯電話に益々高度な機能が要求され、最近では、地上波デジタルテレビ放送（ワンセグ）が視聴できるチューナ内蔵の携帯電話が市場を賑わすようになった。上記したチューナ内蔵の携帯電話は、従来、１個のスピーカに対し、テレビ放送による音声出力と、他の音源出力とが競合する場合、ミキシングされ、同時に音声出力されることにより、異音となって出力される。
【０００３】
このため、地デジ等、テレビ放送受信アプリケーションプログラムがＢＧＭ再生している際に、音声やデバイスの競合が発生すると、図６にそのシーケンス図が示されるようにチューナの電源をＯＦＦするとともに、地デジアプリを終了させてＢＧＭ再生を終了させるか（ステップＳ６０１〜Ｓ６０６）、図７にそのシーケンス図が示されるように、チューナの電源をＯＦＦにしてＢＧＭ再生を一旦停止させる必要がある。ＢＧＭ再生を一旦停止させる場合は、チューナの電源をＯＦＦにし（ステップＳ７０１〜Ｓ７０６）、ＢＧＭ再生の一旦停止状態からＢＧＭ再生を再開させる場合は、チューナの電源をＯＮにし、再度チャンネルサーチを行う必要がある（ステップＳ７０７〜Ｓ７１２）。
【０００４】
一方、従来、消費電力を低減しつつ番組の出力を再開するまでの時間を短縮するために、番組を受信している場合であっても通信装置との通信を行い、この通信時間を計測し、当該計測された通信時間に基づき、映像と音声を出力する一端から、番組を受信する他端の方向に番組出力を段階的に停止させる通信装置が知られている（例えば、特許文献１参照）。
【特許文献１】特開２００６−２１７０８７号公報
【発明の開示】
【発明が解決しようとする課題】
【０００５】
しかしながら、上記したＢＧＭ再生を中止する方法によれば、競合動作の終了時にＢＧＭ再生に復帰せず、このため、ユーザビリティが悪い。また、ＢＧＭ再生を再開させるためには、再開時にチューナの電源をＯＮし、チャンネルのサーチが終了して実際にＢＧＭ再生が開始されるまでに時間を要する。
【０００６】
また、特許文献１に開示された技術によれば、通話時間に依存し、通話時間が短ければ停止部分が少ないため迅速に番組を再開できるが、通話時間が長ければ停止部分が多いため消費電力を低減できても、迅速に番組を再開することはできない。
【０００７】
本発明は上記した課題を解決するためになされたものであり、音声出力競合時における音声出力停止後の再開動作を迅速に行うことのできる、放送受信装置および同装置における音声出力制御方法を提供することを目的とする。
【課題を解決するための手段】
【０００８】
上記した課題を解決するために本発明の放送受信装置は、放送番組を受信する放送受信部と、前記放送受信部で受信された放送番組の報知処理を行う放送制御部と、前記放送制御部に接続され、当該放送制御部から出力される音声信号に基づき音声出力を制御する音声出力制御部と、前記音声出力制御部に接続され、前記放送制御部とは異なる音声出力を伴うアプリケーションプログラムを実行するアプリケーション実行部と、を備え、前記音声出力制御部は、前記放送制御部での前記放送番組の報知処理に伴う音声出力と、前記アプリケーション実行部での前記アプリケーションプログラム実行に伴う音声出力とが競合する場合に、前記放送番組の報知処理に伴う音声出力を抑制し、前記アプリケーション実行部で実行される前記アプリケーションプログラムの動作が終了すると前記放送番組の報知処理に伴う音声出力の抑制を解除する。
【０００９】
また、本発明の放送受信装置において、前記音声出力制御部は、前記アプリケーション実行部により実行されるアプリケーションプログラムからの音声出力要求を受信すると、前記放送番組の報知処理に伴う音声出力を抑制するように構成してもよい。
【００１０】
また、本発明の放送受信装置において、前記放送受信部は、前記音声出力制御部による前記放送番組の音声出力抑制の経過時間が所定時間を超えた場合に動作が停止されるように構成してもよい。
【００１１】
また、本発明の放送受信装置において、前記放送受信部は、前記アプリケーション実行部で実行されるアプリケーションプログラムが、前記放送制御部の実行時に競合するデバイスを用いる場合に、動作が停止されるように構成してもよい。
【００１２】
また、本発明の放送受信装置における音声出力制御方法は、放送番組を受信する放送受信部と、前記放送受信部で受信された放送番組の報知処理を行う放送制御部と、前記放送制御部に接続され、当該放送制御部から出力される音声信号に基づき音声出力を制御する音声出力制御部と、前記音声出力制御部に接続され、前記放送制御部とは異なる音声出力を伴うアプリケーションプログラムを実行するアプリケーション実行部と、を備えた放送受信装置における音声出力制御方法であって、前記放送制御部での前記放送番組の報知処理に伴う音声出力と、前記アプリケーション実行部での前記アプリケーションプログラム実行に伴う音声出力とが競合する場合に、前記放送番組の報知処理に伴う音声出力を抑制するステップと、前記アプリケーション実行部で実行される前記アプリケーションプログラムの動作が終了すると前記放送番組の報知処理に伴う音声出力の抑制を解除するステップと、を有する。
【発明の効果】
【００１３】
本発明によれば、音声出力競合時における音声出力停止後の再開動作を迅速に行うことのできる、放送受信装置および同装置における音声出力制御方法を提供することができる。
【発明を実施するための最良の形態】
【００１４】
図１は、本発明の実施の形態に係る放送受信装置の内部構成を示すブロック図である。ここでは、放送受信装置として、ＴＶチューナを内蔵する携帯電話機が例示されている。
図１に示されるように、携帯電話機は、制御部１０と、記憶部１１と、通信部１２と、放送受信部１３と、音源１４と、表示部１５と、操作部１６と、スピーカ１７と、により構成されている。
【００１５】
制御部１０は、例えば、ＣＰＵにより構成され、ＣＰＵが記憶部１１に記録されたプログラムを逐次読み出し実行することにより、通信部１２、放送受信部１３、音源１４と、表示部１５と、操作部１６等の各種周辺ＬＳＩを制御する。
制御部１０は、その内部構成が機能展開して示されるように、放送制御部１０１と、音声出力制御部１０２と、アプリケーション実行部１０３と、により構成される。
【００１６】
放送制御部１０１は、放送受信部１３で受信された放送番組の報知処理を行い、音声出力制御部１０２は、放送制御部１０１に接続され、当該放送制御部１０１から出力される音声信号に基づきスピーカ１７からの音声出力を制御する。また、アプリケーション実行部１０３は、音声出力制御部１０２に接続され、放送制御部１０１により実行されるテレビ放送受信アプリケーションプログラムとは異なる音声出力を伴うアプリケーションプログラムを実行する機能を持つ。
【００１７】
音声出力制御部１０２は、テレビ放送受信アプリケーションプログラムの実行時に、放送受信部１３で受信された放送番組の報知処理に伴う音声出力と、アプリケーション実行部１０３での音源１４を用いたアプリケーションプログラム実行に伴う音声出力とが競合する場合に、放送番組の報知処理に伴う音声出力を抑制し、アプリケーション実行部１０３で実行されるアプリケーションプログラムの動作が終了すると放送番組の報知処理に伴う音声出力の抑制を解除する機能を有する。
音声出力制御部１０２はまた、アプリケーション実行部１０３により実行されるアプリケーションプログラムからの音声出力要求を受信すると、放送番組の報知処理に伴う音声出力を抑制する機能も持つ。詳細はいずれも後述する。
【００１８】
一方、記憶部１１には、制御部１０が実行するプログラムや、当該プログラムが参照するテーブル、あるいは作業領域として使用するデータ（表示データも含む）のそれぞれが格納される記憶領域が割り付けられている。
記憶部１１は、具体的には、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００１９】
通信部１２は高周波回路を含み、電波を用いた無線通信を行うために、不図示のマイクロフォンを介して入力された音声通話信号を変調して送受信アンテナを介し送信する。通信部１２はまた、送受信アンテナを介して受信した音声通話信号を復調して制御部１０（音声出力制御部１０２）経由でスピーカ１７に出力する。この通信部１２での音声通話信号の送受信により音声通話が可能とされている。
【００２０】
放送受信部１３は、ＴＶアンテナを介して受信される、例えば、地上波デジタル放送波を中間周波数信号に変換して復調し、さらに、復調して得られる信号を、映像信号成分と音声信号成分に分離し、制御部１０（放送制御部１０１）を介して音声出力制御部１０２、表示装置１５のそれぞれに供給する。このとき、音声出力制御部１０２は、入力される音声信号成分から音声信号を生成してスピーカ１７へ出力する。
放送受信部１３は、制御部１０（音声出力制御部１０２）による音声出力競合時の放送番組の音声出力抑制の経過時間が所定時間を超えた場合、その動作が停止され、更に、制御部１０（アプリケーション実行部１０３）で実行されるアプリケーションプログラムが、制御部１０（放送制御部１０１）の実行時に競合するデバイスを用いる場合に、動作が停止されることもある。いずれも詳細は後述する。
【００２１】
音源１４は、ここでは、放送受信部１３により出力される音声信号と競合する、例えば、ホコーダ、ＤＳＲ（Distributed Speech Recognition）等のＬＳＩである。なお、放送受信部１３により出力される音声信号と競合するものとして、上記した音源１４により生成される音声出力の他に、上記した通信部１２により受信される通話音声も含まれる。
【００２２】
表示部１５は、例えば、液晶表示パネルや有機ＥＬ（Electro-Luminescence）パネルなどの表示デバイスを用いて構成されており、制御部１０（放送制御部１０１）から供給される地上波デジタル放送波の映像信号成分である映像信号に応じたテレビ画像を表示する。また、発信時における発信先の電話番号、着信時における着信相手の電話番号、受信メールや送信メールの内容、日付、時刻、バッテリ残量、発信成否、待ち受け画面などの各種情報や画像も表示する。
【００２３】
また、操作部１６は、当該操作部に配置された各種キーからその入力情報を取得し、制御部１０へ引き渡す。なお、配置される各種キーの中にはＴＶ放送の録画を指示する録画キーも含まれる。また各種キーの中には筐体側面に配されるサイドキーも含まれる。
【００２４】
以下、図２〜図５に示す動作シーケンス図を参照しながら本発明の実施の形態に係る放送受信装置の動作について説明する。
【００２５】
図２〜図５は、いずれも制御部１０が実行するプログラム間のデータの受け渡し、ならびに処理概要が示されている。
ここでは、地上波デジタル放送アプリケーションプログラム（地デジアプリ）と、地デジ用ＯＥＭ（Original Equipment Manufacture：携帯電話とソフトウェア実行環境をつなぐインタフェース）と、その他音声競合が発生するＯＥＭ（以下、その他音源ＯＥＭという）と、ドライバとの関係が示されている。これらプログラムは、いずれも制御部１０によって実行され、地デジアプリと、地デジＯＥＭは放送制御部１０１が、音源ＯＥＭはアプリ実行部１０３が、ドライバは音声出力制御部１０２がそれぞれ実行するものとする。
【００２６】
動作説明に先立ち、起動中の地デジアプリのＢＧＭ再生と、同じく起動中のその他アプリによる音源再生による音声出力競合は、デバイスと音で競合するパターン（１）と、デバイスでは競合しないが音が競合するパターン（２）の２通り考えられる。ここで、デバイスの競合とは、ドライバに、稼動中のデバイス（例えば、チューナとカメラ）が複数接続されることをいい、これは、システム環境設定時に作成される構成フラグを参照することで判定することができる。
前者のパターン（１）の場合、デバイスの競合が発生するか否かを音声出力の競合発生時に確認し、後者のパターン（２）のデバイスの競合が発生しない場合は、音声出力のみを抑制することでＢＧＭ再生の復帰を速くすることができる。以下に詳細を説明する。
【００２７】
以下、デバイスの競合が発生する場合のシーケンスについて図２を用い、音声出力の競合のみ発生する場合のシーケンスについて図３〜図５を用いて詳細に説明する。
【００２８】
図２のシーケンス図において、地デジ放送受信によるＢＧＭ再生がなされていることを前提に、まず、地デジアプリ以外の不図示のアプリケーションプログラムから音声出力要求が発行されたものとし、これを音源ＯＥＭで受信する（ステップＳ２０１）。ここで、その他音源ＯＥＭは、デバイスの競合が発生するか否かを判定する（ステップＳ２０２）。
【００２９】
ここで、デバイスの競合が発生する場合（ステップＳ２０２“Ｙｅｓ”）、その他音源ＯＥＭは、地デジアプリに対して、チューナ（放送受信部１３）をＯＦＦにしてＢＧＭ停止要求を発行する（ステップＳ２０３）とともに、音声出力制御部１０２は、音源１４により生成された音声をスピーカ１７への供給を開始する（ステップＳ２０７）。
また、ＢＧＭ停止要求を受けた地デジアプリは、地デジ用ＯＥＭに対しチューナの電源ＯＦＦ要求を発行する（ステップＳ２０４）。続いて、地デジ用ＯＥＭは、ドライバに対してチューナのＯＦＦ要求を発行し（ステップＳ２０５）、このことにより、ドライバは、チューナの電源をＯＦＦする（ステップＳ２０６）。このことにより、チューナの電源がＯＦＦとなってＢＧＭ再生が一旦停止される。
【００３０】
一方、その他音源ＯＥＭは、ＢＧＭに競合する処理（地デジアプリ以外のアプリケーションプログラムの実行）を終えた場合（ステップＳ２０８）、地デジアプリに対してＢＧＭ再開要求を発行する（ステップＳ２０９）。これを受けた地デジアプリは、チューナ（放送受信部１３）をＯＦＦにしているか否かを判定し（ステップＳ２１０）、ＯＦＦになっていれば（ステップＳ２１０“Ｙｅｓ”）、地デジＯＥＭに対し、チューナの電源ＯＮ要求を発行する（ステップＳ２１１）。チューナの電源ＯＮ要求を受けた地デジＯＥＭは、ドライバに対してチューナの電源ＯＮ要求を発行する（ステップＳ２１２）。また、地デジアプリは、チャンネルサーチ要求を行い（ステップＳ２１３）、地デジＯＥＭ経由でドライバにチャンネルサーチを要求する（ステップＳ２１４）。このことにより、チューナの電源がＯＮとされて、チャンネルサーチが行われることにより、ＢＧＭの再生が再開される。
【００３１】
一方、図３のフローチャートにおいて、地デジ放送受信によるＢＧＭ再生がなされていることを前提に、まず、地デジアプリ以外の不図示のアプリケーションプログラムから音声出力要求が発行されたものとし、これを音源ＯＥＭで受ける（ステップＳ３０１）。ここで、その他音源ＯＥＭは、デバイスの競合が発生するか否かを判定する（ステップＳ３０２）。ここで、デバイスの競合が発生しない場合（ステップＳ３０２“Ｎｏ”）、その他音源ＯＥＭは、地デジアプリに対して、音声出力のみＯＦＦさせるＢＧＭ停止要求を発行する（ステップＳ３０３）とともに、音声出力制御部１０２は、音源１４により生成された音声をスピーカ１７への供給を開始する（ステップＳ３０７）。
【００３２】
また、ＢＧＭ停止要求を受けた地デジアプリは、地デジ用ＯＥＭに対し音声出力のＯＦＦ要求を発行する（ステップＳ３０４）。続いて、地デジ用ＯＥＭは、ドライバに対して音声出力のＯＦＦ要求を発行し（ステップＳ３０５）、ドライバは、音声出力をＯＦＦ（音量レベル０）に設定する（ステップＳ３０６）。このことにより、ＢＧＭが一旦停止される。
【００３３】
一方、その他音源ＯＥＭにてＢＧＭに競合する処理を終えた場合（ステップＳ２０８）、地デジアプリに対してＢＧＭ再開要求を発行する（ステップＳ３０９）。これを受けた地デジアプリは、チューナ（放送受信部１３）をＯＦＦにしているか否かを判定し（ステップＳ３１０）、ＯＮになっていれば（ステップＳ３１０“Ｎｏ”）、地デジＯＥＭに対し、音声出力ＯＮ要求を発行する（ステップＳ３１１）。
音声出力ＯＮ要求を受けた地デジＯＥＭは、ドライバに対して音声出力ＯＮ要求を発行し（ステップＳ３１２）、このことにより、ＢＧＭの再生が再開される。
【００３４】
上記した本発明の実施の形態に係る放送受信装置によれば、放送受信部起動中に他のアプリケーションプログラムの動作に伴い音声出力競合が発生する場合、放送受信部１３での音声出力が抑制されるため、音声競合を回避することができる。しかも、放送受信部１３を停止させないため、他のアプリケーションプログラムの終了時にチャンネルサーチを行なうことなく放送再開を迅速に行なうことができる。また、通話時間に依存することなく音声出力競合時における動作停止後の再開動作を迅速に行うことができる。
【００３５】
図４、図５は、タイマを用いてＢＧＭ再生の一旦停止処理を実行する際の動作シーケンスを示す図である。
【００３６】
図４のシーケンス図において、図３に示すシーケンス図との差異は、デバイスの競合が発生せず、音声出力をＯＦＦにした状態で、その他音源ＯＥＭにより競合する音声の出力が開始された後（ステップＳ３０２“Ｎｏ”〜Ｓ３０７）、ＢＧＭ復帰をチェックするタイマをセットし（ステップＳ４０１）、ある一定時間経過してタイマが満了した場合に（ステップＳ４０２）、チューナ（放送受信部１３）の電源をＯＦＦしたことにある（ステップＳ４０２〜Ｓ４０７）。
【００３７】
すなわち、図３に示すシーケンス図によれば、音声出力はＯＦＦであっても、チューナの電源はＯＮのままであり、放送番組の受信や地デジアプリによる映像信号と音声信号の復号化処理は継続して行われている。そのため、長い間、ＢＧＭの一旦停止状態が継続すると、電力を無駄に消費してしまう。このため、図４のシーケンス図に示すように、デバイスの競合が発生せず、音声出力を抑制（ＯＦＦ）した状態で、ある一定時間経過した場合はチューナの電源を落とす（ＯＦＦとする）ように制御することで、放送受信装置の省電力化をはかるものである。このことは、省電力を最重要設計事項とする携帯電話等、バッテリによって駆動される放送受信装置において特に有用な機能である。
【００３８】
一方、図５のシーケンス図において、図４に示すシーケンス図との差異は、タイマが満了する前にＢＧＭに競合する処理（地デジアプリ以外のアプリケーションプログラムの実行）が終了した場合、その他音源ＯＥＭは、タイマをキャンセルし（ステップＳ５０１）、地デジアプリに対してＢＧＭの再開要求を出すことにある（ステップＳ３０９）。
【００３９】
以上説明のように本発明の実施の形態に係る放送受信装置によれば、地デジのＢＧＭ再生に対する音声出力の競合が発生した場合、デバイスが競合しない場合はＢＧＭへの復帰を早くすることができ、また、デバイス競合が発生せず、音声出力のみを抑制した場合でも、停止時間をタイマで管理することによって消費電流を抑えることができる。
なお、上記した本発明の実施の形態によれば、地デジアプリに対してＢＧＭの一旦停止、再開の処理を行っているが、地デジ用ＯＥＭに対してこの処理を行うことも可能である。その場合は、地デジアプリを修正することなく実装が可能であるといった効果が得られる。
【００４０】
また、本発明の放送受信装置における音声出力制御方法は、例えば、図１の構成図に示されるように、放送番組を受信する放送受信部１３と、放送受信部１３で受信された放送番組の報知処理を行う放送制御部１０１と、放送制御部１０１に接続され、当該放送制御部１０１から出力される音声信号に基づき音声出力を制御する音声出力制御部１０２と、音声出力制御部１０２に接続され、放送制御部１０１とは異なる音声出力を伴うアプリケーションプログラムを実行するアプリケーション実行部１０３と、を備えた放送受信装置における音声出力制御方法であって、例えば、図２のシーケンス図に示されるように、放送制御部１０１での放送番組の報知処理に伴う音声出力と、アプリケーション実行部１０３でのアプリケーションプログラム実行に伴う音声出力とが競合する場合に、放送番組の報知処理に伴う音声出力を抑制するステップ（Ｓ２０１〜Ｓ２０７）と、アプリケーション実行部１０３で実行されるアプリケーションプログラムの動作が終了すると放送番組の報知処理に伴う音声出力の抑制を解除するステップ（Ｓ２０８〜Ｓ２１４）と、を有するものである。
【００４１】
上記した本発明の放送受信装置における音声出力制御方法によれば、制御部１０が、放送制御部１０１での放送番組の報知処理に伴う音声出力と、アプリケーション実行部１０３でのアプリケーションプログラム実行に伴う音声出力とが競合する場合に、放送番組の報知処理に伴う音声出力を抑制し、アプリケーション実行部１０３で実行されるアプリケーションプログラムの動作が終了すると放送番組の報知処理に伴う音声出力の抑制を解除する制御を実行することにより、放送制御部起動中に他のアプリケーションプログラムの動作に伴い音声出力競合が発生する場合、放送制御部１０１での音声出力が抑制されるため、音声競合を回避することができる。しかも、チューナである放送受信部１３を停止させないため、他のアプリケーションプログラムの終了時にチャンネルサーチを行なうことなく放送再開を迅速に行なうことができる。
このことにより、従来のように通話時間に依存することなく音声出力競合時における動作停止後の再開動作を迅速に行うことができる。
【００４２】
なお、上記した本発明の実施の形態によれば、放送受信装置としてＴＶチューナを内蔵した携帯電話のみ例示したが、携帯電話やテレビチューナに限らず、ＰＤＡ（Personal Digital Assistants）、やゲーム機、あるいはＰＣ等、チューナを内蔵する全ての放送受信装置に同様に適用が可能である。
【００４３】
また、本発明の放送受信装置が持つ各構成ブロックの機能は、全てをソフトウェアによって実現しても、あるいはその少なくとも一部をハードウェアで実現してもよい。例えば、制御部１０を構成する、放送制御部１０１、音声出力制御部１０２、あるいはアプリケーション実行制御部１０３におけるデータ処理は、１または複数のプログラムによりコンピュータ上で実現してもよく、また、その少なくとも一部をハードウェアで実現してもよい。
【図面の簡単な説明】
【００４４】
【図１】本発明の実施の形態に係る放送受信装置の内部構成を示すブロック図である。
【図２】本発明の実施の形態に係る放送受信装置の動作（デバイスが競合する場合）を示すフローチャートである。
【図３】本発明の実施の形態に係る放送受信装置の動作（デバイスが競合しない場合）を示すフローチャートである。
【図４】本発明の実施の形態に係る放送受信装置の動作（タイマ使用）を示すフローチャートである。
【図５】本発明の実施の形態に係る放送受信装置の動作（タイマ使用）を示すフローチャートである。
【図６】従来の放送受信装置の動作を示すフローチャートである。
【図７】従来の放送受信装置の動作を示すフローチャートである。
【符号の説明】
【００４５】
１０…制御部、１１…記憶部、１２…通信部、１３…放送受信部、１４…音源、１５…表示部、１６…操作部、１７…スピーカ、１０１…放送制御部、１０２…音声出力制御部、１０３…アプリケーション実行部。
【図１】
2008211677.tif 000003
【図２】
2008211677.tif 000004
【図３】
2008211677.tif 000005
【図４】
2008211677.tif 000006
【図５】
2008211677.tif 000007
【図６】
2008211677.tif 000008
【図７】
2008211677.tif 000009